(57)【要約】【課題】従来の即席食品の食べごろを知る手段は色が変わる温度紙であるが、所定の温度に感知する精度が高く、表示が消えるか現れるかで明確な測定ができるフリクションインキ表示を施して成る即席食品容器を提供する。【解決手段】即席食品の食べ時が分かる即席食品容器１であって、容器２に取り付けられる蓋３に表示したマークや絵や文字をが、所定の温度で消えるフリクションインキ表示して成る食べ時が分かる即席食品容器１とする。【選択図】図１
0003137553.tif 000002
【実用新案登録請求の範囲】
【請求項１】
即席食品の食べ時が分かる食品容器であって、容器に取り付けられる蓋に表示したマークや絵や文字を、所定の温度で透明になって消えるフリクションインキ表示して成る食べ時が分かる即席食品容器。
【請求項２】
前記するフリクションインキ表示を、表示シールに施して成る請求項１に記載する食べ時が分かる即席食品容器。
【請求項３】
前記するフリクションインキ表示が、通常インキ表示した上面を覆うように重ねて表示して成る請求項１又は請求項２に記載する食べ時が分かる即席食品容器。
【請求項４】
前記するフリクションインキ表示が、摂氏６０度以上で透明になるインキである請求項１から請求項３のいずれかに記載する食べ時が分かる即席食品容器。
【考案の詳細な説明】
【技術分野】
【０００１】  本考案は、お湯を注ぐだけで食べられるラーメンやうどん、焼きそばなどの食べ時を知ることができる即席食品容器に関する。
【背景技術】
【０００２】  従来より、お湯を注いだ後、３分から５分の所定の時間が経つと食べられる即席食品があり、丁度よい食べ時を知るには所定時間を計ったり、そのつど時計を見ながら食べ時を待ってから食べている。【０００３】  さらに、カップラーメンやうどんなどのレトルト食品の蓋に、温度を感知していろいろな色に変わる温度紙を貼り、湯を注いで所定の色に表示されたら食べごろ時だと分かるレトルト食品収納用容器の技術がある。（例えば、特許文献１参照）
【特許文献１】公開実用新案実開平７−４３８５公報
【考案の開示】
【考案が解決しようとする課題】
【０００４】  従来、行われている湯を注いだ後に時間を見ながら待つのは煩わしくもあり面倒であったし、時には早過ぎて硬かったり、長過ぎると柔らかくなり過ぎて味や歯ごたえを損ねるなどの失敗も多かった。【０００５】  さらに、公開実用新案実開平７−４３８５公報による技術は、温度を感知していろいろな色に変わる温度紙を、カップラーメンなどの蓋に貼るとともに、何色になったら食べごろであると表示することにより食べ時を知るものである。しかし、温度により現れる設定された色は１色ではなく、低温から高温までいろいろ変わるので、例えば、何色になったら。と表示していても、いつ変わるかに目を奪われたりしているうちに、適色が何色か忘れたりし、また微妙な色変化であるため、３分又は５分と短い時間の測定が正確にできず、安定した食べごろ時が得られないことも多いなどの不便や欠点がある技術であった。
【課題を解決するための手段】
【０００６】  本考案は前記するような従来の不便や欠点を解消するために、請求項１においては、容器に取り付けられる蓋に表示するマークや絵や文字を、所定の温度で透明になって消えるフリクションインキ表示することで、一目で正確な食べ時を知ることができるものとする。【０００７】  請求項２においては、前記するフリクションインキ表示が、表示シールに施すことにより、シールの厚さにより所定時間の調節と既存の製品に設けることができるものとする。【０００８】  請求項３においては、前記するフリクションインキ表示を、熱では消えない通常インキ表示した上面を覆うように重ねて表示することにより、消えた後に食べ時表示が現れるものとする。【０００９】  請求項４においては、前記するフリクションインキが摂氏６０度で透明又は消えることにより、時間計測が安定し、且つ、明確な判別ができるものとする。
【考案の効果】
【００１０】  本考案による即席食品容器の蓋には摂氏６０度で透明になることで、表示したマークや絵、文字が消えて食べ時が分かる仕組みであるので分かり易く、従来には見られない極めてユニークな即席食品容器を提供する。【００１１】  さらに請求項２においては、フリクションインキ表示を接着剤付き表示シールに施すことで蓋面に表示しなくてもよいし、既存の即席食品容器に貼るだけで直ぐに対応できる。請求項３に示すタイプは、通常インキで「このマークが消えたら食べ時です」と表示し、その上面を覆い隠すようにフリクションインキ表示しているので、所定時間が来るとフリクションインキ表示部が消えて食べ時表示の文字が現れるので、子供や高齢者でも分かり易い。【００１２】  また請求項４においては、上記するフリクションインキは、長年の試験により、６０度で透明になり、マイナス１０度過ぎると再び現れることが確認されて実用化されたインキであるため、温度によって色が変わる温度紙や示温塗料のように曖昧でないので、３分又は５分と言うように短い時間の設定でも狂いが少なく、適切な食べ時を知ることができるものであり、コストも安価にして広く提供できる食べ時が分かる即席食品容器である。
【考案を実施するための最良の形態】
【００１３】  本考案による第１実施形態による即席食品容器を図１に示す斜視図と図２に示すフリクションインキ表示部の拡大斜視図、図３に示すフリクション表示が消えた状態を示す参考図で説明する。【００１４】  第１実施形態による即席食品容器１は、お湯を注いで３分待ってから食べられる即席ラーメンやうどんなどを納めた容器２とし、発泡樹脂素材等で成る容器２の上面を覆うアルミ箔付きの蓋３の一部に、摂氏６０度以上の所定の熱が加わると、発色剤と発色させる成分と変色温度調整剤等の３つの成分によるインキにおいて、常温時は発色剤と発色させる成分が結合することでインキとして発色するが、所定の温度に達すると変色温度調整剤が、結合する発色剤と発色させる成分を解離させることで消えるインキ（以下、フリクションインキと称す）でマークや絵や文字等を印刷したフリクションインキ表示４を施し、その近くに熱では消えない通常のインキにより、「星マークが消えたら食べ時」なる通常インキ説明文５を表示して成る即席食品容器１とする。【００１５】  第１の実施形態による即席食品容器１は、蓋３面に通常インキによる説明文５とともに、星マーク等を、所定の温度で消えるフリクションインキ表示４をしているので、食用する際は通常のように蓋３を半分ほど開封してからお湯を注ぎ再度閉じて３分ほど待つと、通常インキ表示した説明文５は変わらないが、お湯の熱が蓋３に伝導して６０度ほどになるのに連動して、フリクションインキ表示４は前記作用により透明になって図３に示すように消えるので食べ時が一目で分かる。【００１６】  第２実施形態による即席食品容器を図４に示す一部剥離した斜視図と図５に示す表示シールの拡大平面図で説明する。
第２実施形態による即席食品容器１は、容器２の素材と同じ素材で形成した蓋３が組み合わされるとともに、その蓋３面に装飾紙７が貼り付けられるものとし、その装飾紙６の一部に、通常インキ説明文５として、「このマークが消えたら食べ時です」と表示した他部に、フリッションインキ表示４によるハートマークを表示した接着剤７付き表示シール８を貼り付けて成る即席食品容器１を構成する。尚、フリッションインキ表示４は蓋３の上に位置する装飾紙６に施しているが、蓋３そのものに表示しても同じとする。また、必要時間が５分などの場合は、表示シール８の厚みを変えることで対応できる。【００１７】  第２実施形態による即席食品容器１におけるフリクションインキ表示４は、表示シール８に通常インキ表示説明文５とともに、フリクションインキ表示４によるハートマークを施しているので、お湯の熱は前記した蓋３から表示シール８に伝導されるとともに、所定温度になると、前記第１実施形態と同様にフリクションインキ表示４のハートマークが消えて食べ時を知らせる。尚、この場合はシール方式であるので、すでに製品化された商品に後付けで取り付けることも可能である。【００１８】  第３実施形態による即席食品容器１を図６に示す斜視図と図７に示すフリクションインキ表示部の拡大断面図、図８に示すフリクションインキ表示部に「食べ時です」の表示が現れた状態の拡大参考図で説明する。【００１９】  第３実施形態による即席食品容器１は、容器２の蓋３は第１実施形態同様とし、その蓋３面に、通常インキ説明文５を表示するとともに、その近くに図７に示すように通常インキ表示９による「食べ時です」を表示し、その上面全体を覆い隠すようにフリクションインキ表示４して成る即席食品容器１を構成する。【００２０】  以上、各実施形態による即席食品容器１を構成するが、それらに示したフリクションインキ表示４部は、蓋３や装飾紙６の厚さや熱伝導率により異なるが、いずれも注いだ熱湯の温度が３分又は５分と必要な時間でフリクションインキ表示４部に伝わるように設定するものとし、その手段は問わない。【００２１】  本考案によるフリクションインキ表示４は、摂氏６０度で透明になって消える特性があるフリクションインキが好ましいイが、この素材以外に所定の温度で消えるインキや顔料でもよい。また、フリクションインキは多種カラーがあるが、いずれの色でも差し支えないし、表示もマークや絵や文字いずれでもよく、いずれも特に限定するものではない。
【図面の簡単な説明】
【００２２】
【図１】本考案の即席食品容器の第１実施形態を示す斜視図である。
【図２】第１実施形態のフリクションインキ表示を示す斜視図である。
【図３】第１実施形態のフリクションインキ表示が消えた状態を示す斜視図である。
【図４】第２実施形態の即席食品容器を示す一部剥離した斜視図である。
【図５】第２実施形態のフリクションインキ表示を施した表示シールを示す拡大平面図である。
【図６】第３実施形態の即席食品容器を示す斜視図である。
【図７】第３実施形態のフリクションインキ表示部を示す拡大断面図である。
【図８】第３実施形態のフリクションインキ表示部が消えて、その下の通常インキ表示が現れた状態を示す参考図である。
【符号の説明】
【００２３】１  即席食品容器
２  容器
３  蓋
４  フリクションインキ表示
５  通常インキ説明文
６  装飾紙
７  接着剤
８  表示シール
９  通常インキ表示
【図１】
0003137553.tif 000003
【図２】
0003137553.tif 000004
【図３】
0003137553.tif 000005
【図４】
0003137553.tif 000006
【図５】
0003137553.tif 000007
【図６】
0003137553.tif 000008
【図７】
0003137553.tif 000009
【図８】
0003137553.tif 000010